(57)【要約】      （修正有）【課題】リフォーム時、間取りの変更に対して床下からヒーターユニットの増設・交換・移動が容易に出来る根太レス工法用の床暖房システムを提供する。【解決手段】一戸建て住宅における根太レス工法において、大引２間の枠３の内側下端に桟木４を設け、その上面に断熱材５を敷設し、断熱材の上面にヒーターユニット６を載置し、その上方に構造用合板７及び床面仕上げ材８を設けてなる根太レス工法用床暖房システム１。【選択図】図１
2011220089.tif 000002
【特許請求の範囲】
【請求項１】
一戸建て住宅における根太レス工法において、大引間の枠の内側下端に桟木を設け、その上面に断熱材を敷設し、断熱材の上面にヒーターユニットを載置し、その上方より構造用合板及び床面仕上げ材を設けてなる根太レス工法用床暖房システム。
【請求項２】
枠の大きさ内寸で８２０ｍｍ×８２０ｍｍ以下とし、ヒーターユニットの寸法も８２０ｍｍ×８２０ｍｍ以下とすることを特徴とする根太レス工法用床暖房システム。
【請求項３】
必要な枠内にヒーターユニットを設けてなることを特徴とする請求項１又は２記載の根太レス工法用床暖房システム。
【請求項４】
ヒーターユニットを、アルミ蒸着断熱シートを１枚または２枚設け、その上方樹脂シートで被覆したヒーターを設け、全体を絶縁保護防水シートで被覆してなることを特徴とする請求項１、２又は３記載の根太レス工法用床暖房システム。
【発明の詳細な説明】
【技術分野】
【０００１】
【背景技術】
【０００２】  ヒーターユニットを、アルミ蒸着断熱シートを裏表２枚重ね、その上方ＰＥシートで被覆したヒーターを設け、全体を絶縁保護防水シートで被覆してなる。【０００３】  また、特許出願されている従来技術として、床基盤上に配設される脚付きの表面パネルと、この表面パネルの下面に配設される面状発熱体と、前記面状発熱体との間に配設される断熱材とよりなり、前記脚部分において表面パネルを床基盤に固着すると共に、前記表面パネルの上面に表装材を配設するようにした、床暖房装置がある。（特許文献１参照）【０００４】  さらに、別の特許出願として、集合住宅用の乾式置床工法において、フロアーが機能別に区画分けされて、少なくとも、ベースパネル上の第１の防音断熱部材を介挿させてフロアパネルを設置する第１の領域と、ベースパネル上に第２の防音断熱部材を介挿させてその上に機能発揮部材を載置した後にフロアパネルを設置する第２の領域とを含めて施工することを特徴とする集合住宅用の乾式床工法。（特許文献２参照）
【先行技術文献】
【特許文献】
【０００５】
【特許文献１】特開平１１−２７０１１８号公報
【特許文献２】特開平１１−２００６０５号公報
【発明の概要】
【発明が解決しようとする課題】
【０００６】（イ）従来のヒーターユニットは故障・表面からの損傷に対しての取り替え工事の必要性があるが、取り替えを前提としていなかった。
（ロ）上記の取り替え工事には最初に前面の床面仕上げ材を剥ぎ、ヒーターユニットの不良があるユニットを特定しユニットの一部交換または、全体の交換作業となり、多量の廃棄物が排出される。
（ハ）従来のヒーターユニットは表面仕上げ材を剥ぐ事無く不良箇所を特定することは困難である。発熱不良の場所は特定できるが、原因箇所の特定は容易ではない。通常、事故の拡大を恐れて全数のヒーターユニットの交換となる。
（ニ）従来の薄い電熱シートを使った床暖房には、絶縁保護膜が薄いものが多い中下地ベニヤ等とフローリング材等で直接挟み込んだものも見受けられるが、フローリングをエアーツールで固定をすると同時にヒーターの固定が行われておりヒーターユニットの異常発熱の危険性がある。この方法は事故の可能性が最も高い施工方法であり施工の改良が必要である。
（ホ）従来のヒーターユニットはリフォームに対応することが前提とはなっていない。部屋割りの変更などは床暖房の設置場所に制約され自由な変更ができない、変更を望むと撤去費用が発生する。
（ヘ）従来のヒーターユニットは「根太レス工法」に対応していなかった。
（ト）従来の薄い電熱シートを使った床暖房は０．３ミリから０．８ミリ厚さのものが多く、ヒーターユニットのみで木材の加工でできる床下地の不陸に対応するものがなかった。
（チ）スチレンフォームの耐熱タイプの断熱材であっても、「１００年住宅」を考えるに当たって断熱材の材質の劣化は十分に考えられ、断熱材の劣化抑え制熱方向を表面仕上げ材方向に向ける高機能断熱シートを備える必要がある。
（リ）床面仕上げ材がフローリングの場合ヒーターユニット方向と直行する様に指定される。ヒーター巾により３０センチ間隔でしか釘を打つことができず、乱尺フローリングは施工が容易ではなく、床鳴りの原因となる。
（ヌ）ヒーターユニットの施工場所と入らない場所で床構造を変えなければならない。
上記前者及び後者の特許において、根太が不要の工法であるが、コンクリート基盤（コンクリートスラブ）への施工における床暖房装置であり、本発明のような一般住宅における根太レス工法用床暖房システムとは構造・機能・効果等において異なるもので、一戸建て住宅には使用できないものである。【０００７】  上記後者特許においても、集合住宅用の工法であり、これもまた、一戸建て住宅用としては構造等が異なっており、目的・手段も異なるものである。【０００８】  本発明は、このような従来の構成が有する問題を解決しようとするもので、一戸建て住宅の根太レス工法における大引間の枠を基準とすることにより、ヒーターユニットの大きさも基準化し、必要な枠に必要なヒーターユニットを設置し、通電させることで、床暖房システムを構築することを目的とするものである。【０００９】  本発明は、上記目的を達成するために、一戸建て住宅における根太レス工法において、大引間の枠の内側下端に桟木を設け、その上面に断熱材を敷設し、断熱材の上面にヒーターユニットを載置し、その上方より構造用合板及び床面仕上げ材を設けてなること。枠の大きさ内寸で８２０ｍｍ×８２０ｍｍ以下とし、ヒーターユニットの寸法も８２０ｍｍ×８２０ｍｍ以下とすること。必要な枠内にヒーターユニットを設けてなること。ヒーターユニットを、アルミ蒸着断熱シートを裏表２枚（１枚でもよい）重ね、その上方樹脂シートで被覆したヒーターを設け、全体を絶縁保護防水シートで被覆してなること。
【発明の効果】
【００１０】１）根部トレス工法に対応する根太レス工法用床暖房システムを提供できる。
２）大引間の枠の寸法を基準化（内寸８２０ｍｍ×８２０ｍｍ以下）することにより、合わせてヒーターユニットの大きさも基準化（外寸で８２０ｍｍ×８２０ｍｍ以下）し、必要な枠に必要なヒーターユニットを設置し、通電させることで床暖房システムを構築できる。
３）新築時において、枠の内側の下端に桟木を４箇所設け、その上面に断熱材を敷設し、この断熱材の上面にヒーターユニットを載置し、その上方より構造合板及び床面仕上げ材を設けるという一連の流れで施工できるため、特定の技術を必要とすることなく、均一な施工ができる。
４）ヒーターユニットを、アルミ蒸着断熱シートを裏表２枚重ね、その上方樹脂シートで被覆したヒーターを設け、全体を絶縁保護防水シートで被覆してなる。
５）床下からのヒーターユニット毎の確認が出来、故障・損傷したヒーターユニットの一部取り替えが可能となる。
６）リフォーム時、間取りの変更に対しても床下からヒーターユニットの増設・交換・移動が容易に出来る。
７）根太レス工法対応なので床面仕上げ材の表面からヒーターまでの距離が遠く表面からの衝撃に強く、安全・安心・長寿命の床暖房の供給が可能となる。
８）床面仕上げ材を選ぶのに制約がなく、自由に選べることが可能となる。構造用合板に接着剤を塗布することと制限のない釘打ちにより床暖房で発声しやすい床鳴りの原因を防ぐことが出来る。
９）断熱材の劣化を防ぐアルミ蒸着シートを具備することにより、それのみではなく温熱の均熱化・断熱性能の向上・ヒーターユニットのランニングコスト（同一の消費電力で４℃の差が生じた）の低減が計られる。
１０）本体の絶縁シートと共に表面に具備する絶縁保護シートに包むことで施工時の事故を防ぎ、長時間にわたりヒーターユニットを保護することを可能とすることができる。
【図面の簡単な説明】
【００１１】
【図１】  本発明の一実施例を示す根太レス工法用床暖房システムの要部斜視図。
【図２】  本発明の一実施例を示す根太レス工法用床暖房システムの要部正面図。
【図３】  本発明の一実施例を示す根太レス工法用床暖房システムの全体平面図。
【図４】  本発明の一実施例を示す根太レス工法用床暖房システムのヒーターユニットの構成斜視図。
【図５】  本発明の一実施麗を示す根太レス工法用床暖房システムのヒーターユニットの構成正面図。
【発明を実施するための形態】
【００１２】  １は、根太レス工法用床暖房システムである。
２は、大引で、中心間寸法Ｌを８２０ｍｍとし、角寸法Ｌ１を９０ｍｍとする。
３は、大引２間の枠で、内寸Ｌ２を８２０ｍｍ×８２０ｍｍとする。
４は、１５ｍｍ×１５ｍｍの桟木で、上記枠３の内側下端に４箇所設けてある。
５は、上記枠４の上面に敷設してなる硬質発泡材等による断熱材で厚さＴを７０ｍｍとし、８２０ｍｍ×８２０ｍｍ以下とする。
６は、ヒーターユニットで、アルミ蒸着断熱シート６ａを裏表２枚重ね、その上方にＰＥシート６ｂで被覆したヒーター６ｃを設け、全体を絶縁保護防水シート（ＰＥ等）６ｄで被覆してなり、厚さＴ１を６ｍｍ前後とし、幅Ｌ３を２６０ｍｍとし、上記枠３内に３枚（２６０ｍｍ×３＝７８０ｍｍとする）入れて使用する。
７は、２４ｍｍ〜３５ｍｍの構造用合板である。
８は、厚さ１５ｍｍの床面仕上げ材（フローリング等）である。
なお、角ヒーターユニット６は、リード線Ｒにて連結するものである。
【００１３】  上記は新築時の根太レス工法用床暖房システムであるが、既築の一戸建て住宅（根太レス工法）においても可能である。
その場合は、床下に入り、断熱材を支持している支持金具を取り外し、断熱材を下方より取り外し、上記ヒーターユニット６を入れ、再度下方より断熱材を入れ、下図外周（枠の内側下端に４箇所）に桟木を取り付けて完了する。
【００１４】  上記実施例において、ヒーターユニットは必要な枠内に設けるもので、全体に設けても、必要な枠のみに設けてもよい。
【符号の説明】
【００１５】１−−−根太レス工法用床暖房システム
２−−−大引
３−−−枠
４−−−桟木
５−−−断熱材
６−−−ヒーターユニット
７−−−構造用合板
８−−−床面仕上げ材
【図１】
2011220089.tif 000003
【図２】
2011220089.tif 000004
【図３】
2011220089.tif 000005
【図４】
2011220089.tif 000006
【図５】
2011220089.tif 000007